(57)【要約】【課題】光ディスクの反りや歪が大きい場合であっても、記録パワーの最適化処理やライトストラテジの最適化処理に要する時間の増大およびＯＰＣ領域の消費量増大を回避することができる光ディスク装置の制御方法および光ディスク装置を提供することを目的とする。【解決手段】複数の記録速度で記録可能な光ディスク装置において、記録パワーの最適化処理、またはライトストラテジの最適化処理の際、複数の記録速度のうち最適化処理で最適化ができなかった記録速度を示す情報がその最適化処理を行った光ディスクに記録され（Ｓ１８）、その情報が記録された光ディスクに対して最適化処理を再び行なう場合には、最適化処理が行なわれる記録速度が、複数の記録速度のうち最適化処理で最適化ができなかった記録速度を示す情報に基づき決定されることを特徴とする（Ｓ１０、Ｓ１１）。【選択図】図８
2007157275.tif 000002
【特許請求の範囲】
【請求項１】
複数の記録速度で記録可能な光ディスク装置において、
光ディスクに記録を行なう時の最適な記録パワーを決定する記録パワーの最適化処理の際、
前記複数の記録速度のうち前記最適化処理で最適化ができなかった記録速度を示す情報が前記最適化処理を行った光ディスクに記録され、
前記情報が記録された光ディスクに対して前記最適化処理を再び行なう場合には、
前記最適化処理が行なわれる記録速度が、前記情報に基づき決定されることを特徴とする光ディスク装置の制御方法。
【請求項２】
複数の記録速度で記録可能な光ディスク装置において、
光ディスクに記録を行なう時の最適な発光間隔を決定するライトストラテジの最適化処理の際、
前記複数の記録速度のうち前記最適化処理で最適化ができなかった記録速度を示す情報が前記最適化処理を行った光ディスクに記録され、
前記情報が記録された光ディスクに対して前記最適化処理を再び行なう場合には、
前記最適化処理が行なわれる記録速度が、前記情報に基づき決定されることを特徴とする光ディスク装置の制御方法。
【請求項３】
記録パワーの最適化処理を行う際、
最適化処理で最適化ができなかった記録速度を示す情報が光ディスクに記録されている場合、前記最適化ができなかった記録速度に対する最適化処理は行わないことを特徴とする請求項１に記載の光ディスク装置の制御方法。
【請求項４】
前記情報は、最適化処理で最適化できなかった回数の情報を含み、前記回数が所定の回数以上である場合、前記最適化ができなかった記録速度に対する最適化処理は行わないことを特徴とする請求項３に記載の光ディスク装置の制御方法。
【請求項５】
記録パワーの最適化を行う際、
最適化処理で最適化ができなかった記録速度を示す情報が光ディスクに記録されている場合、前記複数の記録速度のうち、前記最適化ができなかった記録速度より遅い記録速度に対してのみ最適化処理を行なうことを特徴とする請求項１に記載の光ディスク装置の制御方法。
【請求項６】
ライトストラテジの最適化処理を行う際、
最適化処理で最適化ができなかった記録速度を示す情報が既に光ディスクに記録されている場合、前記最適化ができなかった記録速度に対する最適化処理は行わないことを特徴とする請求項２に記載の光ディスク装置の制御方法。
【請求項７】
前記情報は、最適化処理で最適化できなかった回数の情報を含み、前記回数が所定の回数以上である場合、前記最適化ができなかった記録速度に対する最適化処理は行わないことを特徴とする請求項６に記載の光ディスク装置の制御方法。
【請求項８】
ライトストラテジの最適化を行う際、
最適化処理で最適化ができなかった記録速度を示す情報が光ディスクに記録されている場合、前記複数の記録速度のうち、前記最適化ができなかった記録速度より遅い記録速度に対してのみ最適化処理を行なうことを特徴とする請求項２に記載の光ディスク装置の制御方法。
【請求項９】
複数の記録速度で記録可能な光ディスク装置であって、
光ディスクを回転させる回転駆動手段と、前記光ディスクに情報の記録を行う光ピックアップと、前記光ピックアップの記録パワーを制御するレーザ制御部と、前記記録パワーを決定する制御部とを備え、
前記制御部は、
光ディスクに記録を行なう時の最適な記録パワーを決定する記録パワーの最適化処理の際、
前記複数の記録速度のうち前記最適化処理で最適化ができなかった記録速度を示す情報を、前記最適化処理を行った光ディスクに記録して、
前記情報が記録された光ディスクに対して前記最適化処理を再び行なう場合には、
前記最適化処理を行なう記録速度を、前記情報に基づき決定することを特徴とする光ディスク装置。
【請求項１０】
複数の記録速度で記録可能な光ディスク装置であって、
光ディスクを回転させる回転駆動手段と、前記光ディスクに情報の記録を行う光ピックアップと、前記光ピックアップの発光パターンを制御するレーザ駆動部と、前記発光パターンを決定する制御部を備え、
前記制御部は、
光ディスクに記録を行なう時の最適な発光間隔を決定するライトストラテジの最適化処理の際、
前記複数の記録速度のうち前記最適化処理で最適化ができなかった記録速度を示す情報を、前記最適化処理を行った光ディスクに記録して、
前記情報が記録された光ディスクに対して前記最適化処理を再び行なう場合には、
前記最適化処理を行なう記録速度を、前記情報に基づき決定することを特徴とする光ディスク装置。
【発明の詳細な説明】
【技術分野】
【０００１】
本発明は、光ディスクに情報の記録を行う際の光ディスク装置の制御方法および光ディスク装置に関するものである。
【背景技術】
【０００２】
光ディスク装置は、各方面への応用と高性能化への開発が活発に行われている。特に最近では、光ディスクの高倍速記録化が進み、光ディスク装置もこれに対応して高倍速記録の対応が行われている。
【０００３】
ここで、従来の光ディスク装置の構成について、図９を用いて説明する。
【０００４】
図９は、従来の光ディスク装置における記録制御系のブロック図である。図９において、１は光ディスク、２はピックアップモジュール、３はスピンドルモータ、４はフィード部、５は光ピックアップ、６はモータ駆動部、７はアナログ信号処理部、８はレーザ制御部、９はデジタル信号処理部、１０はサーボ処理部、１１はドライブコントローラ、１２はメモリ、１３はホストコンピュータである。
【０００５】
ピックアップモジュール２は、光ディスク１を回転させるスピンドルモータ３と、光ディスク１の情報信号を再生もしくは記録の少なくとも一方を行う光ピックアップ５と、光ピックアップ５が搭載されたキャリッジを光ディスク１の半径方向に移動させるためのフィード部４とによって構成されたものである。アナログ信号処理部７はピックアップモジュール２の内部に設けられたキャリッジ中の光ピックアップ５内部の光センサ（図示せず）からの信号出力を基に、フォーカスエラー信号とトラッキングエラー信号とを生成し、サーボ処理部１０に出力する。
【０００６】
サーボ処理部１０は対物レンズとキャリッジとの相対的な位置関係を示すレンズ位置信号を生成し、モータ駆動部６に出力する。また、サーボ処理部１０はＯＮ／ＯＦＦ回路、演算回路、フィルタ回路、増幅回路等によって構成され、光ビームスポットが光ディスク１の情報トラックに追従するようにフォーカスエラー信号およびトラッキングエラー信号を基にモータ駆動部６を介して対物レンズをフォーカス／トラッキング制御し、対物レンズが概略中立位置を保持するようにフィード制御を行う。フィード部４はフィードモータ、ギヤ（図示せず）、スクリューシャフト（図示せず）等から構成され、フィードモータを回転させることによってキャリッジが移動し、その際フィードモータよりフィードモータパルスが周期的に出力されるようになっている。
【０００７】
光ディスク１は、その種類や製造者により最適な記録条件が異なる。これらの異なる条件に対して最適な記録条件を得るために、記録パワーの最適化処理とライトストラテジの最適化処理が必要である。そのため、光ディスク装置は、起動時や記録開始時に記録パワーの最適化処理やライトストラテジの最適化処理を行っている。記録パワーの最適化処理では、光ディスク１の記録面上に所望の大きさの記録マークが形成できるように、光ディスク記録時における光ピックアップ５の発光量を調整するものである。また、ライトストラテジの最適化処理では、光ディスク１の記録面上に所望の長さの記録マークが形成できるように、光ディスク記録時における光ピックアップ５の発光間隔を調整するものである。
【０００８】
複数の記録速度により記録を行うことができる光ディスク装置において、記録パワーの最適化処理またはライトストラテジの最適化処理が行われる際、複数の記録速度で最適化処理が行われる。ここで、記録パワーの最適化処理やライトストラテジの最適化処理が何らかの要因で成功しない場合には、記録倍速を変更して記録パワーの最適化処理やライトストラテジの最適化処理を再度行う必要がある。
【０００９】
この分野に関する先行技術の一例として、（特許文献１）等がある。
【特許文献１】特開２００３−２７２１６０号公報
【発明の開示】
【発明が解決しようとする課題】
【００１０】
しかしながら、上記従来の構成では、光ディスクの反りや歪が大きい場合、記録パワーの最適化処理またはライトストラテジの最適化処理は成功しない確率が高くなり、記録パワーの最適化処理またはライトストラテジの最適化処理における記録速度の変更が多くなる。また、ライトワンスメディアにおいては、ＯＰＣ領域（試し書き領域）をより早く消費してしまい、ユーザデータ記録領域を使い切る前に記録パワーの最適化処理やライトストラテジの最適化処理ができなくなる場合があった。
【００１１】
本発明は、上記課題を解決するためになされたものであり、光ディスクの反りや歪が大きい場合であっても、記録パワーの最適化処理やライトストラテジの最適化処理に要する時間の増大およびＯＰＣ領域（試し書き領域）の消費量増大を回避することができる光ディスク装置の制御方法および光ディスク装置を提供することを目的とする。
【課題を解決するための手段】
【００１２】
本発明は、上記課題を解決するためになされたものであり、複数の記録速度で記録可能な光ディスク装置において、光ディスクに記録を行なう時の最適な記録パワーを決定する記録パワーの最適化処理の際、複数の記録速度のうち最適化処理で最適化ができなかった記録速度を示す情報が最適化処理を行った光ディスクに記録され、その情報が記録された光ディスクに対して最適化処理を再度行なう場合には、最適化処理が行なわれる記録速度が、最適化ができなかった記録速度を示す情報に基づき決定されることを特徴とする光ディスク装置の制御方法と光ディスク装置である。
【００１３】
また、複数の記録速度で記録可能な光ディスク装置において、光ディスクに記録を行なう時の最適な発光間隔を決定するライトストラテジの最適化処理の際、複数の記録速度のうち最適化処理で最適化ができなかった記録速度を示す情報が前記最適化処理を行った光ディスクに記録され、その情報が記録された光ディスクに対して最適化処理を再度行なう場合には、最適化処理が行なわれる記録速度が、最適化ができなかった記録速度を示す情報に基づき決定されることを特徴とする光ディスク装置の制御方法と光ディスク装置である。
【発明の効果】
【００１４】
本発明は上記構成により、複数の記録速度のうち最適化処理で最適化ができなかった記録速度を示す情報が記録されている光ディスクに対して、記録パワーの最適化処理を行なう場合に、その最適化処理が行なわれる記録速度が、複数の記録速度のうち最適化処理で最適化ができなかった記録速度を示す情報に基づき決定されることによって、過去の最適化処理における不具合内容を参照しながら最適化処理を行うことができるため、複数の記録速度のうち最適化処理で最適化ができなかった記録速度を示す情報が記録された後の最適化処理における無駄な処理を容易に省くことができ、またＯＰＣ領域の消費量増大を回避することができる。
【００１５】
また、複数の記録速度のうち最適化処理で最適化ができなかった記録速度を示す情報が記録されている光ディスクに対して、ライトストラテジの最適化処理を行なう場合には、その最適化処理が行なわれる記録速度が、複数の記録速度のうち最適化処理で最適化ができなかった記録速度を示す情報に基づき決定されることによって、過去の最適化処理における不具合内容を参照しながら最適化処理を行うことができるため、複数の記録速度のうち最適化処理で最適化ができなかった記録速度を示す情報が記録された後の最適化処理における無駄な処理を容易に省くことができ、またＯＰＣ領域の消費量増大を回避することができる。
【００１６】
これらのことにより、光ディスクの反りや歪が大きい場合であっても、記録パワーの最適化処理やライトストラテジの最適化処理に要する時間の増大およびＯＰＣ領域の消費量増大を回避することができる光ディスク装置の制御方法および光ディスク装置を実現することができる。
【発明を実施するための最良の形態】
【００１７】
請求項１記載の発明は、複数の記録速度で記録可能な光ディスク装置において、光ディスクに記録を行なう時の最適な記録パワーを決定する記録パワーの最適化処理の際、複数の記録速度のうち最適化処理で最適化ができなかった記録速度を示す情報が最適化処理を行った光ディスクに記録され、その情報が記録された光ディスクに対して最適化処理を再度行なう場合には、最適化処理が行なわれる記録速度が、複数の記録速度のうち最適化処理で最適化ができなかった記録速度を示す情報に基づき決定されることを特徴とする光ディスク装置の制御方法である。複数の記録速度のうち最適化処理で最適化ができなかった記録速度を示す情報が記録されている光ディスクに対して、記録パワーの最適化処理を行なう場合に、その最適化処理が行なわれる記録速度が、複数の記録速度のうち最適化処理で最適化ができなかった記録速度を示す情報に基づき決定されることによって、過去の最適化処理における不具合内容を参照しながら最適化処理を行うことができるため、複数の記録速度のうち最適化処理で最適化ができなかった記録速度を示す情報が記録された後の最適化処理における無駄な処理を容易に省くことができ、またＯＰＣ領域の消費量増大を回避することができる。そのため、光ディスクの反りや歪が大きい場合であっても、記録パワーの最適化処理に要する時間の増大およびＯＰＣ領域の消費量増大を回避することができる光ディスク装置の制御方法を実現することができる。
【００１８】
請求項２記載の発明は、複数の記録速度で記録可能な光ディスク装置において、光ディスクに記録を行なう時の最適な発光間隔を決定するライトストラテジの最適化処理の際、複数の記録速度のうち最適化処理で最適化ができなかった記録速度を示す情報が最適化処理を行った光ディスクに記録され、その情報が記録された光ディスクに対して最適化処理を再び行なう場合には、最適化処理が行なわれる記録速度が、複数の記録速度のうち最適化処理で最適化ができなかった記録速度を示す情報に基づき決定されることを特徴とする光ディスク装置の制御方法である。複数の記録速度のうち最適化処理で最適化ができなかった記録速度を示す情報が記録されている光ディスクに対して、ライトストラテジの最適化処理を行なう場合には、その最適化処理が行なわれる記録速度が、複数の記録速度のうち最適化処理で最適化ができなかった記録速度を示す情報に基づき決定されることによって、過去の最適化処理における不具合内容を参照しながら最適化処理を行うことができるため、複数の記録速度のうち最適化処理で最適化ができなかった記録速度を示す情報が記録された後の最適化処理における無駄な処理を容易に省くことができ、またＯＰＣ領域の消費量増大を回避することができる。そのため、光ディスクの反りや歪が大きい場合であっても、ライトストラテジの最適化処理に要する時間の増大およびＯＰＣ領域の消費量増大を回避することができる光ディスク装置の制御方法を実現することができる。
【００１９】
請求項３記載の発明は、記録パワーの最適化処理を行う際、最適化処理で最適化ができなかった記録速度を示す情報が光ディスクに記録されている場合、その最適化ができなかった記録速度に対する最適化処理は行わないことを特徴とする請求項１に記載の光ディスク装置の制御方法である。記録パワーの最適化処理を行う際、最適化処理で最適化ができなかった記録速度を示す情報が光ディスクに記録されている場合、その最適化ができなかった記録速度に対する最適化処理は行わないことによって、複数の記録速度のうち最適化処理で最適化ができなかった記録速度を示す情報が記録された後の最適化処理における無駄な処理を容易に省くことができ、またＯＰＣ領域の消費量増大を回避することができる。
【００２０】
請求項４記載の発明は、複数の記録速度のうち最適化処理で最適化ができなかった記録速度を示す情報が、最適化処理で最適化できなかった回数の情報を含み、その回数が所定の回数以上である場合、その最適化ができなかった記録速度に対する最適化処理は行わないことを特徴とする請求項３に記載の光ディスク装置の制御方法である。複数の記録速度のうち最適化処理で最適化ができなかった記録速度を示す情報が、最適化処理で最適化できなかった回数の情報を含み、その回数が所定の回数以上である場合、その最適化ができなかった記録速度に対する最適化処理は行わないことによって、過去の最適化処理における不具合内容の発生頻度を参照して最適化処理を行うことができるため、最適化処理を行う記録速度の決定をより精度良く行うことができる。
【００２１】
請求項５記載の発明は、記録パワーの最適化を行う際、最適化処理で最適化ができなかった記録速度を示す情報が光ディスクに記録されている場合、複数の記録速度のうち、その最適化ができなかった記録速度より遅い記録速度に対してのみ最適化処理を行なうことを特徴とする請求項１に記載の光ディスク装置の制御方法である。記録パワーの最適化を行う際、最適化処理で最適化ができなかった記録速度を示す情報が光ディスクに記録されている場合、複数の記録速度のうち、その最適化ができなかった記録速度より遅い記録速度に対してのみ最適化処理を行なうことによって、複数の記録速度のうち最適化処理で最適化ができなかった記録速度を示す情報が記録された後の最適化処理における無駄な処理を更に省くことができ、またＯＰＣ領域の消費量増大を回避することができる。
【００２２】
請求項６記載の発明は、ライトストラテジの最適化処理を行う際、最適化処理で最適化ができなかった記録速度を示す情報が既に光ディスクに記録されている場合、その最適化ができなかった記録速度に対する最適化処理は行わないことを特徴とする請求項２に記載の光ディスク装置の制御方法である。ライトストラテジの最適化処理を行う際、最適化処理で最適化ができなかった記録速度を示す情報が既に光ディスクに記録されている場合、その最適化ができなかった記録速度に対する最適化処理は行わないことによって、複数の記録速度のうち最適化処理で最適化ができなかった記録速度を示す情報が記録された後の最適化処理における無駄な処理を容易に省くことができ、またＯＰＣ領域の消費量増大を回避することができる。
【００２３】
請求項７記載の発明は、複数の記録速度のうち最適化処理で最適化ができなかった記録速度を示す情報が、最適化処理で最適化できなかった回数の情報を含み、その回数が所定の回数以上である場合、その最適化ができなかった記録速度に対する最適化処理は行わないことを特徴とする請求項６に記載の光ディスク装置の制御方法である。複数の記録速度のうち最適化処理で最適化ができなかった記録速度を示す情報が、最適化処理で最適化できなかった回数の情報を含み、その回数が所定の回数以上である場合、その最適化ができなかった記録速度に対する最適化処理は行わないことによって、過去の最適化処理における不具合内容の発生頻度を参照して最適化処理を行うことができるため、最適化処理を行う記録速度の決定をより精度良く行うことができる。
【００２４】
請求項８記載の発明は、ライトストラテジの最適化を行う際、最適化処理で最適化ができなかった記録速度を示す情報が光ディスクに記録されている場合、複数の記録速度のうち、その最適化ができなかった記録速度より遅い記録速度に対してのみ最適化処理を行なうことを特徴とする請求項２に記載の光ディスク装置の制御方法である。ライトストラテジの最適化を行う際、最適化処理で最適化ができなかった記録速度を示す情報が光ディスクに記録されている場合、複数の記録速度のうち、その最適化ができなかった記録速度より遅い記録速度に対してのみ最適化処理を行なうことによって、複数の記録速度のうち最適化処理で最適化ができなかった記録速度を示す情報が記録された後の最適化処理における無駄な処理を更に省くことができ、またＯＰＣ領域の消費量増大を回避することができる。
【００２５】
請求項９記載の発明は、複数の記録速度で記録可能な光ディスク装置であって、光ディスクを回転させる回転駆動手段と、光ディスクに情報の記録を行う光ピックアップと、光ピックアップの記録パワーを制御するレーザ制御部と、記録パワーを決定する制御部とを備え、制御部が、光ディスクに記録を行なう時の最適な記録パワーを決定する記録パワーの最適化処理の際、複数の記録速度のうち最適化処理で最適化ができなかった記録速度を示す情報を、最適化処理を行った光ディスクに記録して、その情報が記録された光ディスクに対して最適化処理を再び行なう場合には、最適化処理を行なう記録速度を、複数の記録速度のうち最適化処理で最適化ができなかった記録速度を示す情報に基づき決定することを特徴とする光ディスク装置である。制御部が、光ディスクに記録を行なう時の最適な記録パワーを決定する記録パワーの最適化処理の際、複数の記録速度のうち最適化処理で最適化ができなかった記録速度を示す情報を、最適化処理を行った光ディスクに記録して、その情報が記録された光ディスクに対して最適化処理を再び行なう場合には、最適化処理を行なう記録速度を、複数の記録速度のうち最適化処理で最適化ができなかった記録速度を示す情報に基づき決定することによって、過去の最適化処理における不具合内容を参照しながら最適化処理を行うことができるため、複数の記録速度のうち最適化処理で最適化ができなかった記録速度を示す情報が記録された後の最適化処理における無駄な処理を容易に省くことができ、またＯＰＣ領域の消費量増大を回避することができる。そのため、光ディスクの反りや歪が大きい場合であっても、記録パワーの最適化処理に要する時間の増大およびＯＰＣ領域の消費量増大を回避することができる光ディスク装置を実現することができる。
【００２６】
請求項１０記載の発明は、複数の記録速度で記録可能な光ディスク装置であって、光ディスクを回転させる回転駆動手段と、光ディスクに情報の記録を行う光ピックアップと、光ピックアップの発光パターンを制御するレーザ駆動部と、発光パターンを決定する制御部を備え、制御部が、光ディスクに記録を行なう時の最適な発光間隔を決定するライトストラテジの最適化処理の際、複数の記録速度のうち最適化処理で最適化ができなかった記録速度を示す情報を、最適化処理を行った光ディスクに記録して、その情報が記録された光ディスクに対して最適化処理を再び行なう場合には、最適化処理を行なう記録速度を、前記情報に基づき決定することを特徴とする光ディスク装置である。制御部が、光ディスクに記録を行なう時の最適な発光間隔を決定するライトストラテジの最適化処理の際、複数の記録速度のうち最適化処理で最適化ができなかった記録速度を示す情報を、最適化処理を行った光ディスクに記録して、その情報が記録された光ディスクに対して最適化処理を再び行なう場合には、最適化処理を行なう記録速度を、前記情報に基づき決定することによって、過去の最適化処理における不具合内容を参照しながら最適化処理を行うことができるため、複数の記録速度のうち最適化処理で最適化ができなかった記録速度を示す情報が記録された後の最適化処理における無駄な処理を容易に省くことができ、またＯＰＣ領域の消費量増大を回避することができる。そのため、光ディスクの反りや歪が大きい場合であっても、ライトストラテジの最適化処理に要する時間の増大およびＯＰＣ領域の消費量増大を回避することができる光ディスク装置を実現することができる。
【００２７】
（実施の形態１）
以下、本発明の一実施の形態について，図面を参照しながら説明する。
【００２８】
図１は、本発明の一実施の形態における光ディスク装置の記録制御系のブロック図である。図１において、１は光ディスク、２はピックアップモジュール、３はスピンドルモータ、４はフィード部、５は光ピックアップ、６はモータ駆動部、７はアナログ信号処理部、８はレーザ制御部、９はデジタル信号処理部、１０はサーボ処理部、１１はドライブコントローラ、１２はメモリ、１３はホストコンピュータである。
【００２９】
ピックアップモジュール２は、光ディスク１を回転させる回転駆動手段であるスピンドルモータ３と、光ディスク１の情報信号を記録または再生の少なくとも一方を行う光ピックアップ５と、光ピックアップ５が搭載されたキャリッジを光ディスク１の半径方向に移動させるためのフィード部４とによって構成されたものである。アナログ信号処理部７はピックアップモジュール２の内部に設けられたキャリッジ中の光ピックアップ５内部の光センサ（図示せず）からの信号出力を基に、フォーカスエラー信号とトラッキングエラー信号とを生成し、サーボ処理部１０に出力する。
【００３０】
サーボ処理部１０は対物レンズとキャリッジとの相対的な位置関係を示すレンズ位置信号を生成し、モータ駆動部６に出力する。また、サーボ処理部１０はＯＮ／ＯＦＦ回路、演算回路、フィルタ回路、増幅回路等によって構成され、光ビームスポットが光ディスク１の情報トラックに追従するようにフォーカスエラー信号およびトラッキングエラー信号を基にモータ駆動部６を介して対物レンズをフォーカス／トラッキング制御し、対物レンズが概略中立位置を保持するようにフィード制御を行う。フィード部４はフィードモータ、ギヤ（図示せず）、スクリューシャフト（図示せず）等から構成され、フィードモータを回転させることによってキャリッジが移動し、その際フィードモータよりフィードモータパルスが周期的に出力されるようになっている。
【００３１】
サーボ処理部１０はアナログ信号処理部７から送られてきたアナログ信号をデジタル信号に変換するＡ／Ｄ変換器、Ａ／Ｄ変換器で変換されたデジタル信号を一時的に記憶するメモリ、メモリに記録されたデジタル信号あるいはＡ／Ｄ変換器から送られてきたデジタル信号を所定の方法で演算する演算回路、演算回路にて演算されたデジタル信号をアナログ信号に変換するＤ／Ａ変換機等によって構成され、光ビームスポットが光ディスク１の情報トラックに追従するようにフィルタ信号処理や各種演算処理をデジタル演算によって行う構成になっている。このため、ドライブコントローラ１１からの指令によりいろいろなパラメータ設定やシーケンス制御がフレキシブルに行うことができる。
【００３２】
そして、サーボ処理部１０はモータ駆動部６を介して光ピックアップ５に搭載されている対物レンズをフォーカス方向／トラッキング方向に移動させる制御、フィード部４の移送制御、さらにスピンドルモータ３の回転制御等を行う。本実施の形態における光ディスク装置では、複数の記録速度で記録可能な光ディスク１、例えば８倍速までの記録が対応可能な光ディスク１が装着された場合、２．４倍速，４倍速，６倍速，８倍速などの複数の記録速度で記録可能な制御が行われるが、これに限定されるものではない。
【００３３】
再生動作時は、光ディスク１に光ピックアップ５から光を照射し、その光ディスク１からの反射光を図示していない受光素子で受光し、その受光した光に応じて光ピックアップ５から出力された再生信号がアナログ信号処理部７を介してデジタル信号処理部９に入力される。デジタル信号処理部９はデータスライサ、データＰＬＬ回路、ジッタ測定回路、エラー訂正部、変／復調部、バッファメモリ等から構成されており、ホストコンピュータ１３へ有効なデータを転送する。
【００３４】
記録動作時は、ホストコンピュータ１３から送られてきたデータをデジタル信号処理部９が変調し、レーザ制御部８によって光ピックアップ５内の光源に所定の電流を供給、制御する。ここで、光源に供給される所定の電流量や所定の電流供給間隔は、それぞれ記録パワー、ライトストラテジと呼ばれ、光ディスク１の種類や製造者により最適な記録条件が異なる。そのため、これらの異なる条件に対して最適な記録条件を得るために、光ディスクに記録を行う時の最適な記録パワーを決定する記録パワーの最適化処理と光ディスクに記録を行う時の最適な発光間隔を決定するライトストラテジの最適化処理を行う。記録パワーの最適化処理とライトストラテジの最適化処理は、ＯＰＣ（Ｏｐｔｉｍｕｍ  Ｐｏｗｅｒ  Ｃａｌｉｂｒａｔｉｏｎ、以降、単に「ＯＰＣ」と呼ぶ）と呼ばれる形態で、例えば光ディスク装置の起動時や光ディスク１への記録開始時などに行われる。ＯＰＣによる記録条件の最適化は、記録パワーの最適化処理とライトストラテジの最適化処理が同時に行われるのが一般的であるが、これに限定されるものではない。
【００３５】
メモリ１２は、ＲＯＭ，ＲＡＭ等の記憶装置から構成され、その内部には記録パワーの最適化処理とライトストラテジの最適化処理を行うために必要なＯＰＣ初期パラメータが格納されいる。格納されているＯＰＣ初期パラメータは、記録パワーの最適化処理やライトストラテジの最適化処理であるＯＰＣを行う際にドライブコントローラ１１から読み込まれる。
【００３６】
ドライブコントローラ１１は本発明の制御部を構成し、アナログ信号処理部７、デジタル信号処理部９、サーボ処理部１０、メモリ１２の各部から送られる信号が入力され、これらの信号の演算処理等を行い、この演算処理の結果（信号）を各部に送出し、各部にて駆動、処理を実行させ、各部の制御を行うものである。なお、詳細な説明や図示は省略するが、ドライブコントローラ１１は、少なくとも、演算機能を備えたＣＰＵ、ＭＰＵ等の演算処理装置や、ＲＯＭ、ＲＡＭ等の記憶装置を備える。
【００３７】
ここで、本発明における光ディスク装置の信号の流れについて説明する。
本発明の光ディスク装置の記録時における信号の流れは、ドライブコントローラ１１の記録指令に基づき、デジタル信号処理部９、レーザ制御部８を介して光ピックアップ５を動作させ、光ディスク１に情報の記録を行う。また、本発明の光ディスク装置の再生時における信号の流れは、光ディスク１に記録された情報を光ピックアップ５で読み取り、アナログ信号処理部７、デジタル信号処理部９を介して、ドライブコントローラ１１が情報の入手を行う。そのため、ＯＰＣを行うことにより、最適な記録パワーを決定する記録パワーの最適化処理と、最適な発光間隔を決定するライトストラテジの最適化処理を行う本発明の光ディスク装置では、上述の信号の流れで記録パワーの最適化やライトストラテジの最適化が行われる。
【００３８】
次に、記録型光ディスク（以降、単に「光ディスク」と呼ぶ）のデータ領域構成の一例として、ＤＶＤ＋Ｒ（Ｄｉｇｉｔａｌ  Ｖｅｒｓａｔｉｌｅ  Ｄｉｓｃ  ＋Ｒｅｃｏｒｄｂｌｅ、以降、単に「ＤＶＤ＋Ｒ」と呼ぶ）の場合について説明する。
【００３９】
図２は、ＤＶＤ＋Ｒディスクのデータ記録領域構成を示す図である。図２において、２０１は中心孔、２０２は非ユーザ記録領域、２０２ａはＯＰＣ領域、２０２ｂはＯＰＣ結果保存領域、２０２ｃはリードイン領域（ＬｅａｄＩｎ領域）、２０３はユーザ記録領域である。
【００４０】
光ディスク１は、ディスク中心に設けられた中心孔２０１から半径方向外周側に向かって非ユーザ記録領域２０２、ユーザ記録領域２０３の順に配置されている。非ユーザ記録領域２０２には、ＯＰＣ領域２０２ａ、ＯＰＣ結果保存領域２０２ｂ、リードイン領域２０２ｃ等がある。ＯＰＣ領域２０２ａは、ＯＰＣによる記録パワーの最適化処理やライトストラテジの最適化処理に用いる試し書きが行われる。ＯＰＣ結果保存領域２０２ｂは、ＯＰＣ領域２０２ａで行われたＯＰＣ結果が追記可能な状態で書き込まれる。リードイン領域２０２ｃは、セッションの記録状態が書き込まれる領域である。また、ユーザ記録領域２０３は、使用者の指示により書き込みが行われる領域である。
【００４１】
本実施の形態において、ＯＰＣ結果保存領域２０２ｂに記録されるＯＰＣ結果は、動作可能な複数の記録速度のうち、最適化処理で最適化できた記録速度を示す情報のみならず、最適化処理で最適化ができなかった記録速度を示す情報を含む情報まで記録される。
【００４２】
次に、光ディスクのＯＰＣ結果保存領域構成の一例について、ＤＶＤ＋Ｒを用いて説明する。ここでは、説明する光ディスク装置が複数の記録速度として、２．４倍速，４倍速，６倍速，８倍速で動作するものとして説明する。
【００４３】
図３は、本発明の一実施の形態におけるＯＰＣ結果保存領域構成を示す図である。図３において、２０２ｂはＯＰＣ結果保存領域、３０１は個体情報記録領域、３０２はＯＰＣ結果記録領域、３０３はヘッダ情報記録領域、３０４は記録パワー結果記録領域、３０５はライトストラテジ結果記録領域、３０６は記録禁止フラグ記録領域、３０７は情報有効フラグ記録領域である。
【００４４】
記録パワーの最適化処理もしくはライトストラテジの最適化処理を行う記録速度の決定に用いられる情報は、図２に示すＯＰＣ結果保存領域２０２ｂ内にある。ＯＰＣ結果保存領域２０２ｂは、ＯＰＣ動作実施後の結果が保存される領域であり、光ディスク装置認識情報記録領域３０１、動作可能な各記録速度に対するＯＰＣ結果記録領域３０２で構成されている。
【００４５】
個体情報記録領域３０１には、光ディスク装置の個体間識別を可能にする情報が記録されており、一例として光ディスク装置のタイプ名、製造番号などが記録されている。また、各記録速度に対するＯＰＣ結果記録領域３０２は、その記録速度に対応するＯＰＣ結果が記録されており、少なくとも光ディスク装置が動作可能な複数の記録速度に対応する数だけ存在する。本実施の形態では、複数の記録速度として、２．４倍速，４倍速，６倍速，８倍速の合計４種類の記録速度で動作する光ディスク装置であるため、ＯＰＣ結果記録領域３０２は、少なくとも４つ存在する。
【００４６】
ＯＰＣ結果記録領域３０２は更に少なくとも３つの領域に区分されており、ヘッダ情報記録領域３０３、記録パワー結果記録領域３０４、ライトストラテジ結果記録領域３０５で構成されている。ヘッダ情報記録領域３０３は、そのヘッダ情報記録領域３０３が存在するＯＰＣ結果記録領域３０２に有用な信号が含まれているか否かを示す識別子（以降、「フラグ」と呼ぶ）を記録する領域である。記録パワー結果記録領域３０４は、ＯＰＣによる記録パワーの最適化処理の処理結果を記録する領域であり、また、ライトストラテジ結果記録領域３０５は、ＯＰＣによるライトストラテジの最適化処理の処理結果を記録する領域である。
【００４７】
ヘッダ情報記録領域３０３には、少なくとも２つの領域が存在し、１つは記録禁止フラグ記録領域３０６、１つは情報有効フラグ記録領域３０７である。情報有効フラグ記録領域３０７には情報有効フラグの記録が行われ、この情報有効フラグが立つことにより、その情報有効フラグが存在しているＯＰＣ結果記録領域３０２に記録された情報が有効であるかの確認を行うことができる。また、記録禁止フラグ記録領域３０６には記録禁止フラグの記録が行われる。この記録禁止フラグは、最適化処理で最適化ができなかったことを示す情報であり、この記録禁止フラグが立つことにより、その記録禁止フラグが存在しているＯＰＣ結果記録領域３０２に対応する記録速度の使用を禁じることができる。
【００４８】
次に、初回記録時、つまり過去にＯＰＣ動作が１回も行われていない光ディスクのＯＰＣ動作における初期値設定について説明する。
【００４９】
図４は、本発明の一実施の形態における情報管理テーブルに情報が設定される様子を示す図であり、過去にＯＰＣ動作が１回も行われていない光ディスクのＯＰＣ結果保存領域と、光ディスク装置のメモリ１２内における情報管理テーブルを示したものである。図４において、３０２はＯＰＣ結果記録領域、３０３はヘッダ情報記録領域、３０４は記録パワー結果記録領域、３０５はライトストラテジ結果記録領域、３０６は記録禁止フラグ記録領域、３０７は情報有効フラグ記録領域、４０１は記録パワー内部保持領域、４０２はライトストラテジ内部保持領域である。
【００５０】
図４に示す光ディスクのＯＰＣ結果保存領域３０２は、過去にＯＰＣ動作が１回も行われていないため、情報有効フラグ記録領域３０６、記録禁止フラグ記録領域３０７共にフラグは立っていない。このような場合、ドライブコントローラ１２は、光ピックアップ５、アナログ信号処理部７を介してＯＰＣ動作を行うための初期値を、光ディスク１のディスク面に埋め込まれているＡＤＩＰ（Ａｄｄｒｅｓｓ  ｉｎ  Ｐｒｅ−Ｇｒｏｏｖｅ）情報から取得し、メモリ１２に設定する。メモリ１２には、少なくとも記録パワー内部保持領域４０１、ライトストラテジ内部保持領域４０２があり、それぞれＡＤＩＰ情報から取得した記録パワーの最適化処理用初期値とライトストラテジの最適化処理用初期値を設定する。
【００５１】
このとき、記録パワー内部保持領域４０１には、光ディスク装置が動作可能な記録速度に対応する記録パワー用のＯＰＣ初期値が保存される。また、ライトストラテジ内部保持領域４０２も同様に、光ディスク装置が動作可能な記録速度に対応するライトストラテジ用のＯＰＣ初期値が保存される。本実施の形態においては、動作可能な記録速度が２．４倍速，４倍速，６倍速，８倍速の合計４種類のため、記録パワーの初期値とライトストラテジの初期値はそれぞれ４種類ずつ設定される。
【００５２】
次に、ＡＤＩＰ情報から取得した記録パワー用のＯＰＣ初期値とライトストラテジ用のＯＰＣ初期値に基づきＯＰＣが行われ、その結果が光ディスクに記録される様子について説明する。ここでは、説明する光ディスク装置が複数の記録速度として、２．４倍速，４倍速，６倍速，８倍速で動作するものとし、記録パワーの最適化処理で最適化できなかった記録速度およびライトストラテジの最適化処理で最適化できなかった記録速度を８倍速として説明する。
【００５３】
図５は、本発明の一実施の形態におけるＯＰＣ結果をＯＰＣ結果保存領域に記録する様子を示す図である。図５において、３０２はＯＰＣ結果記録領域、３０３はヘッダ情報記録領域、３０４は記録パワー結果記録領域、３０５はライトストラテジ結果記録領域、３０６は記録禁止フラグ記録領域、３０７は情報有効フラグ記録領域である。
【００５４】
ＯＰＣ実施時には、設定された記録パワー用のＯＰＣ初期値とライトストラテジ用のＯＰＣ初期値に基づき、記録パワーの最適化処理とライトストラテジの最適化処理であるＯＰＣが行われる。本実施の形態におけるＯＰＣは、記録パワーの最適化処理、ライトストラテジの最適化処理共に記録速度が８倍速で最適化できなかったものと仮定して説明しているため、記録速度が２．４倍速，４倍速，６倍速のＯＰＣ結果が記録されるＯＰＣ結果保存領域３０２では、情報有効フラグ記録領域３０６に情報有効フラグが立ち、記録禁止フラグ記録領域３０７に記録禁止フラグが立たない。また、記録速度が８倍速のＯＰＣ結果が記録されるＯＰＣ結果保存領域３０２では、情報有効フラグ記録領域３０６，記録禁止フラグ記録領域３０７共に情報有効フラグが立つ。
【００５５】
次に、過去に少なくとも１回はＯＰＣ動作が行われた光ディスクが装着された状態で光ディスク装置が起動されたり、光ディスク装置に過去に少なくとも１回はＯＰＣ動作が行われた光ディスクが装着された場合について説明する。ここでは、説明する光ディスク装置が複数の記録速度として、２．４倍速，４倍速，６倍速，８倍速で動作するものとし、記録パワーの最適化処理で最適化できなかった記録速度およびライトストラテジの最適化処理で最適化できなかった記録速度を８倍速として説明する。
【００５６】
図６は、本発明の一実施の形態における情報管理テーブルに情報が設定される様子を示す図であり、過去に少なくとも１回はＯＰＣ動作が行われた光ディスクのＯＰＣ結果保存領域と、光ディスク装置再起動時のメモリ１２内における情報管理テーブルを示したものである。図７は、本発明の一実施の形態におけるＯＰＣ記録時のＯＰＣ結果保存領域の状態を示す図であり、図３に示す記録禁止フラグ記録領域３０６がＯＰＣ失敗カウンタに置き換わったものである。図６、図７において、３０２はＯＰＣ結果記録領域、３０３はヘッダ情報記録領域、３０４は記録パワー結果記録領域、３０５はライトストラテジ結果記録領域、３０６は記録禁止フラグ記録領域、３０７は情報有効フラグ記録領域、４０１は記録パワー内部保持領域、４０２はライトストラテジ内部保持領域、７０６はＯＰＣ失敗カウンタである。
【００５７】
過去に少なくとも１回はＯＰＣ動作が行われた光ディスク１が装着された状態で光ディスク装置が起動されたり、光ディスク装置に過去に少なくとも１回はＯＰＣ動作が行われた光ディスクが装着された場合、ドライブコントローラ１１は光ピックアップ５、アナログ信号処理部７を介して、その光ディスク１の個体情報記録領域３０１に記録されている個体情報を読み込み、当該光ディスク装置で過去にＯＰＣを行った光ディスク１であると判断されれば、ＯＰＣ結果記録領域３０２に記録されている情報を読み込む。本実施の形態におけるＯＰＣは、記録パワーの最適化処理、ライトストラテジの最適化処理共に記録速度が８倍速で最適化できなかったものと仮定して説明しているため、記録速度が２．４倍速，４倍速，６倍速のＯＰＣ結果が記録されるＯＰＣ結果保存領域３０２では、情報有効フラグ記録領域３０７に情報有効フラグが立ち、記録禁止フラグ記録領域３０６に記録禁止フラグが立っていない。一方、記録速度が８倍速のＯＰＣ結果が記録されるＯＰＣ結果保存領域３０２では、情報有効フラグ記録領域３０７に情報有効フラグ、記録禁止フラグ記録領域３０６に記録禁止フラグが立っている。
【００５８】
情報有効フラグ記録領域３０７に情報有効フラグが立ち、かつ記録禁止フラグ記録領域３０６に記録禁止フラグが立つ場合、ドライブコントローラ１１は、光ピックアップ５、アナログ信号処理部７を介して得た情報有効フラグ，記録禁止フラグの情報に基づき、記録パワー結果記録領域３０４とライトストラテジ結果記録領域３０５に記録されている情報をメモリ１２に設定する。メモリ１２には、少なくとも記録パワー内部保持領域４０１、ライトストラテジ内部保持領域４０２があり、それぞれ記録パワー結果記録領域３０４とライトストラテジ結果記録領域３０５から取得した記録パワー用のＯＰＣ初期値とライトストラテジ用のＯＰＣ初期値を設定する。
【００５９】
本実施の形態においては、記録パワーの最適化処理およびライトストラテジの最適化処理共に記録速度が８倍速で最適化できなかったものと仮定して説明しているため、記録パワー内部保持領域４０１では、記録速度が２．４倍速、４倍速、６倍速に対応する記録パワー値を設定する。そして、記録速度が８倍速に対応する記録パワー値を設定する領域には、記録パワー結果記録領域３０４からは設定せず、ＡＤＩＰ情報から設定する。また、ライトストラテジ内部保持領域４０２でも同様に、記録速度が２．４倍速、４倍速、６倍速に対応する記録パワー値を設定する。そして、記録速度が８倍速に対応するライトストラテジ値を設定する領域には、ライトストラテジ結果記録領域３０５からは設定せず、ＡＤＩＰ情報から設定する。
【００６０】
なお、図３に示す記録禁止フラグ記録領域３０６が、図７に示すＯＰＣ失敗カウンタ７０６に置き換わることによって、ＯＰＣによる記録パワーの最適化処理またはライトストラテジの最適化処理で最適化できなかった回数を把握することができる。このようにすることで、複数の記録速度のうち最適化処理で最適化ができなかった記録速度を示す情報は、最適化処理で最適化できなかった回数の情報を含むことが可能となり、例えばその回数が所定の回数以上である場合、その最適化ができなかった記録速度に対する最適化処理は行わないことにすることができる。そのようにすると、過去の最適化処理における不具合内容の発生頻度を参照して最適化処理を行うことができるため、最適化処理を行う記録速度の決定をより精度良く行うことができる。
【００６１】
次に、光ディスク装置の制御方法の一例として、記録パワーの最適化処理とライトストラテジの最適化処理がＯＰＣにより同時に行われる場合について説明する。
【００６２】
図８は、本発明の一実施の形態における光ディスク装置の制御方法を示すフローチャート図である。
【００６３】
光ディスク装置に光ディスク１が装着されると、ドライブコントローラ１１はサーボ処理部１０にスピンドルモータ３を回転させる命令を出す。命令を受けたサーボ処理部１０は、モータ駆動部６に対し所望の回転数で回転起動する制御信号を送り、その制御信号を受けたモータ駆動部６は、スピンドルモータ３を回転させる（Ｓ１）。
【００６４】
スピンドルモータ３が回転すると、ドライブコントローラ１１は、サーボ処理部１０に光ピックアップ５を所定の位置に移動させる命令を出す。命令を受けたサーボ処理部１０は、モータ駆動部６に対しフィード部４を移動させる制御信号を送り、その制御信号を受けたモータ駆動部６は、フィード部４を移動させ、光ピックアップ５を所定の位置に移動させる（Ｓ２）。ここでの所定の位置は、光ディスク１内周近傍である。
【００６５】
光ピックアップ５が所定の位置に移動すると、ドライブコントローラ１１は、デジタル信号処理部９に光ピックアップ５を発光させる命令を出す。命令を受けたデジタル信号処理部９は、レーザ制御部８に光ピックアップ５を発光させる信号を送り、その信号を受けたレーザ制御部８は光ピックアップ５を発光させる。その後、ドライブコントローラ１１は、サーボ処理部１０にフォーカス制御、トラッキング制御を行う命令を出す。命令を受けたサーボ処理部１０は、モータ駆動部６を介して光ピックアップ５に搭載されている対物レンズをフォーカス方向／トラッキング方向に移動させる制御を開始する（Ｓ３）。
【００６６】
次に、ドライブコントローラ１１は、サーボ処理部１０、モータ駆動部６を介して、光ピックアップ５を図２に示すＯＰＣ結果保存領域２０２ｂへ移動させ、光ピックアップ５、アナログ信号処理部７を介して、装着された光ディスク１のＯＰＣに関する過去の履歴を調べる（Ｓ４）。ここで、装着された光ディスク１に、ＯＰＣに関する過去の履歴があれば、その履歴を読み込む（Ｓ５）。また、装着された光ディスク１に、ＯＰＣに関する過去の履歴がなければ、Ｓ８に進む。
【００６７】
次に、光ディスク１に記録されている履歴の中に、今動作している光ディスク装置により書かれた履歴があるかの確認を行う（Ｓ６）。今動作している光ディスク装置により書かれた履歴があるかの確認で、今動作している光ディスク装置により書かれた履歴があれば、ドライブコントローラ１１は、光ピックアップ５、アナログ信号処理部７を介して、その履歴から複数の記録速度のＯＰＣ情報を取得する（Ｓ７）。また、今動作している光ディスク装置により書かれた履歴がなければ、ドライブコントローラ１１は、光ディスク１に予め記録されているＡＤＩＰ情報からＰＦＩ（Ｐｈｙｓｉｃａｌ  Ｆｏｒｍａｔ  Ｉｎｆｏｍａｔｉｏｎ）情報を取得し（Ｓ８）、ＰＦＩから各倍速の記録パワー、ライトストラテジを算出してその結果をメモリ１２に保持する（Ｓ１２）。
【００６８】
ドライブコントローラ１１は、光ディスク１に記録された履歴から複数の記録速度におけるＯＰＣの情報を取得すると、その中に記録禁止情報である記録禁止フラグが付加された記録速度があるかの確認を行う（Ｓ９）。記録禁止情報が付加された記録速度がある場合には、ドライブコントローラ１１は、その記録速度を記録禁止にする（Ｓ１０）。また、それ以外の記録速度については、ＯＰＣの過去の履歴情報から各記録速度の記録パワー設定値、ライトストラテジ設定値をメモリ１２に保持する（Ｓ１１）。このように、ＯＰＣによる記録パワーの最適化処理とライトストラテジの最適化処理において、過去の最適化処理で最適化ができなかった記録速度を示す情報、つまり記録禁止情報である記録禁止フラグが既に光ディスクに記録されている場合、その最適化ができなかった記録速度に対する最適化処理は行わないことにすることで、複数の記録速度のうち最適化処理で最適化ができなかった記録速度を示す情報が記録された後の最適化処理における無駄な処理を容易に省くことができ、またＯＰＣ領域の消費量増大を回避することができる。
【００６９】
Ｓ１１またはＳ１２まで完了すると、ドライブコントローラ１１は、ホストコンピュータ１３からの記録要求待ちとなる（Ｓ１３）。ここで、ホストコンピュータ１３からの記録要求があると、ドライブコントローラ１１は、メモリ１２に保持された記録パワーとライトストラテジに関する情報を読み出す。そして、読み出された情報の中から、その光ディスク装置で動作可能な記録速度と、その速度に対応する記録パワー、ライトストラテジ情報をメモリ１２から読み出し、初期値として設定し（Ｓ１４）、ＯＰＣを行う（Ｓ１５）。
【００７０】
ＯＰＣによる記録パワー最適化処理とライトストラテジ最適化処理では、まず、ドライブコントローラ１１が、サーボ処理部１０、モータ駆動部６を介して光ピックアップ５を図２に示すＯＰＣ領域２０２ａへ移動させる。そして、ドライブコントローラ１１がデジタル信号処理部９、レーザ制御部８を介して光ピックアップ５を動作させ、光ディスク１に、ＯＰＣに必要な情報の試し書き記録を行う。その後、光ディスク１に記録されたＯＰＣに必要な情報の試し書き記録領域を光ピックアップ５で読み取り、アナログ信号処理部７、デジタル信号処理部９を介して、ドライブコントローラ１１で演算処理を行い、最適な記録パワーと最適なライトストラテジを求める。
【００７１】
ＯＰＣが終了すると、ドライブコントローラ１１は、ＯＰＣにより記録パワーの最適化処理とライトストラテジの最適化処理が成功したかの確認を行う（Ｓ１６）。記録パワーの最適化処理とライトストラテジの最適化処理が成功したかの確認は、求めた記録パワー値，ライトストラテジ値で、ＯＰＣ領域２０２ａに記録および測定を行い、エラーレートなどを求めることで行われる。記録パワーの最適化処理とライトストラテジの最適化処理が成功すると、ドライブコントローラ１１は、メモリ１２のＯＰＣ結果を更新する（Ｓ１７）と同時に、サーボ処理部１０、モータ駆動部６を介して光ピックアップ５を介して光ピックアップ５をＯＰＣ結果保存領域２０２ｂに移動させ、ここにＯＰＣ結果を記録する（Ｓ１８）。このとき、ＯＰＣ結果保存領域２０２ｂに書き込まれるＯＰＣ結果は、動作可能な複数の記録速度のうち、最適化処理で最適化できた記録速度を示す情報のみならず、最適化処理で最適化ができなかった記録速度を示す情報を含む情報まで書き込まれる。また、何らかの理由により、ＯＰＣによる記録パワー最適化処理とライトストラテジ最適化処理が成功しなかった場合、ドライブコントローラ１１は、記録処理を強制終了させ（Ｓ２０）、その内容をホストコンピュータ１３に伝える。
【００７２】
記録パワー最適化処理とライトストラテジ最適化処理が成功すると、ドライブコントローラ１１は、ホストコンピュータ１３からのデータの記録を開始する（Ｓ１９）。
【００７３】
以上の内容により、複数の記録速度のうち最適化処理で最適化ができなかった記録速度を示す情報が記録されている光ディスク１に対して、記録パワーの最適化処理を行なう場合に、その最適化処理が行なわれる記録速度が、複数の記録速度のうち最適化処理で最適化ができなかった記録速度を示す情報に基づき決定されることによって、過去の最適化処理における不具合内容を参照しながら最適化処理を行うことができるため、複数の記録速度のうち最適化処理で最適化ができなかった記録速度を示す情報が記録された後の最適化処理における無駄な処理を容易に省くことができる。また、複数の記録速度のうち最適化処理で最適化ができなかった記録速度を示す情報が記録されている光ディスク１に対して、ライトストラテジの最適化処理を行なう場合には、その最適化処理が行なわれる記録速度が、複数の記録速度のうち最適化処理で最適化ができなかった記録速度を示す情報に基づき決定されることによって、過去の最適化処理における不具合内容を参照しながら最適化処理を行うことができるため、複数の記録速度のうち最適化処理で最適化ができなかった記録速度を示す情報が記録された後の最適化処理における無駄な処理を容易に省くことができ、またＯＰＣ領域の消費量増大を回避することができる。
【００７４】
これらのことにより、光ディスクの反りや歪が大きい場合であっても、記録パワーの最適化処理やライトストラテジの最適化処理に要する時間の増大およびＯＰＣ領域の消費量増大を回避することができる光ディスク装置の制御方法および光ディスク装置を実現することができる。
【００７５】
なお、本実施の形態においては、記録パワーの最適化処理とライトストラテジの最適化処理がＯＰＣにより同時に行われる場合について説明したが、記録パワーの最適化処理とライトストラテジの最適化処理はそれぞれ独立して行われてもよく、またどちらか一方だけ行われても良い。また、本実施の形態においては、記録型光ディスクの一例としてＤＶＤ＋Ｒを用いて説明したが、記録型光ディスクはこれに限定されるものではなく、例えば、ＤＶＤ−Ｒでも良い。この場合、ＤＶＤ＋Ｒで用いたＡＤＩＰ情報の代わりに、ＤＶＤ−ＲではＬＰＰ（Ｌａｎｄ  Ｐｒｅ−Ｐｉｔ）情報を用いることになる。
【００７６】
さらに、本実施の形態においては、説明する光ディスク装置が複数の記録速度として、２．４倍速、４倍速、６倍速、８倍速で動作するものとし、記録パワーの最適化処理およびライトストラテジの最適化処理で最適化できなかった記録速度が８倍速として説明したが、例えば、最適化できなかった記録速度として最初に６倍速がわかった場合には、それ以降の処理は、２．４倍速と４倍速のみを行う。このように、記録パワーの最適化またはライトストラテジの最適化を行う際、その光ディスク装置で動作可能な複数の記録速度のうち、その最適化ができなかった記録速度より遅い記録速度に対してのみ最適化処理を行なうことによって、複数の記録速度のうち最適化処理で最適化ができなかった記録速度を示す情報が記録された後の最適化処理における無駄な処理を更に省くことができ、またＯＰＣ領域の消費量増大を回避することができる。
【産業上の利用可能性】
【００７７】
本発明は、光ディスクの反りや歪が大きい場合であっても、記録パワーの最適化処理やライトストラテジの最適化処理に要する時間の増大およびＯＰＣ領域の消費量増大を回避することができるため、光ディスクに情報の記録を行う際の光ディスク装置の制御方法および光ディスク装置などに適応可能である。
【図面の簡単な説明】
【００７８】
【図１】本発明の一実施の形態における光ディスク装置の記録制御系のブロック図
【図２】ＤＶＤ＋Ｒディスクのデータ記録領域構成を示す図
【図３】本発明の一実施の形態におけるＯＰＣ結果保存領域構成を示す図
【図４】本発明の一実施の形態における情報管理テーブルに情報が設定される様子を示す図
【図５】本発明の一実施の形態におけるＯＰＣ結果をＯＰＣ結果保存領域に記録する様子を示す図
【図６】本発明の一実施の形態における情報管理テーブルに情報が設定される様子を示す図
【図７】本発明の一実施の形態におけるＯＰＣ記録時のＯＰＣ結果保存領域の状態を示す図
【図８】本発明の一実施の形態における光ディスク装置の制御方法を示すフローチャート
【図９】従来の光ディスク装置における記録制御系のブロック図
【符号の説明】
【００７９】
１    光ディスク
２    ピックアップモジュール
３    スピンドルモータ
４    フィード部
５    光ピックアップ
６    モータ駆動部
７    アナログ信号処理部
８    レーザ制御部
９    デジタル信号処理部
１０    サーボ処理部
１１    ドライブコントローラ
１２    メモリ
１３    ホストコンピュータ
２０１    中心孔
２０２    非ユーザ記録領域
２０２ａ    ＯＰＣ領域
２０２ｂ    ＯＰＣ結果保存領域
２０２ｃ    リードイン領域
２０３    ユーザ記録領域
３０１    個体情報記録領域
３０２    ＯＰＣ結果記録領域
３０３    ヘッダ情報記録領域
３０４    記録パワー結果記録領域
３０５    ライトストラテジ結果記録領域
３０６    記録禁止フラグ記録領域
３０７    情報有効フラグ記録領域
４０１    記録パワー内部保持領域
４０２    ライトストラテジ内部保持領域
７０６    ＯＰＣ失敗カウンタ
【図１】
2007157275.tif 000003
【図２】
2007157275.tif 000004
【図３】
2007157275.tif 000005
【図４】
2007157275.tif 000006
【図５】
2007157275.tif 000007
【図６】
2007157275.tif 000008
【図７】
2007157275.tif 000009
【図８】
2007157275.tif 000010
【図９】
2007157275.tif 000011